(57)【要約】  揮発性組成物ディスペンサ（１０４）の動作をスマートアプライアンス（１１０）の動作と結合することによって揮発性組成物を空気中に送達するためのシステム（１００）が提供される。システムは、入力信号の受信及び出力命令の送信が可能である中央通信装置（１０２）を含む。中央通信装置（１０２）は、アルゴリズムを記憶するように構成されているメモリ（１２４）と通信可能に接続されている。システムは、中央通信装置（１０２）に通信可能に接続可能であり、スマートアプライアンス（１１０）の状況を中央通信装置（１０２）に警告する入力信号を中央通信装置（１０２）に送信するように構成されたスマートアプライアンス（１１０）を含む。システムはまた、無線通信リンク（１１６）を通じて中央通信装置（１０２）と通信可能に接続可能である揮発性組成物ディスペンサ（１０４）を含む。アルゴリズムは、スマートアプライアンス（１１０）から中央通信装置（１１０）に送信された入力信号に基づいて揮発性組成物ディスペンサ（１０４）を制御する。スマートアプライアンス（１１０）は、ユーザにより手動で、又は中央通信装置（１０２）からの指示によってオン及びオフにされ得る。スマートアプライアンス（１１０）は、洗濯機、乾燥機、食洗機、常夜灯、ファン、ごみ処理機、テレビ、モニタ、スプリンクラーシステム、又は電子レンジであり得る。少なくとも２つの異なる揮発性組成物を含む揮発性組成物ディスペンサ（１０４）は、１つのスマートアプライアンスと対になるように意図されている香りを有する１つの揮発性組成物を送達するように構成されてよく、また第２の異なるスマートアプライアンスと対になるように意図されている香りを有する第２の揮発性組成物を送達するようにも構成されてよい。システムは、特定のアプライアンスが実行しているときに部屋が特定のにおいを有することを所望するユーザにとって有益である。
2019505105.tif 000002
【特許請求の範囲】
【請求項１】
揮発性組成物を空気中に送達するためのシステムであって、
入力信号の受信及び出力命令の送信が可能である中央通信装置であって、前記中央通信装置は、アルゴリズムを記憶するように構成されているメモリと通信可能に接続された、該中央通信装置と、
前記中央通信装置に通信可能に接続可能であるスマートアプライアンスであって、前記スマートアプライアンスの状況を前記中央通信装置に警告する入力信号を前記中央通信装置に送信するように構成された、該スマートアプライアンスと、
無線通信リンクを通じて前記中央通信と通信可能に接続可能である揮発性組成物ディスペンサと、を備え、前記アルゴリズムは、前記スマートアプライアンスから前記中央通信装置に送信された入力信号を使用して前記揮発性組成物ディスペンサを制御することを特徴とするシステム。
【請求項２】
前記スマートアプライアンスがオンにされたとき、又は前記スマートアプライアンスの周期が開始されたときに、前記スマートアプライアンスは、前記スマートアプライアンスの前記状況を前記中央通信装置に警告する入力信号を前記中央通信装置に送信し、前記中央通信装置は、前記スマートアプライアンスから前記スマートアプライアンスがオンである又は前記スマートアプライアンスの前記周期が開始したという入力信号を受信した後にオンにするように出力命令を前記揮発性組成物ディスペンサに送信することを特徴とする請求項１に記載のシステム。
【請求項３】
前記中央通信装置は、第１の設定点が発生した後にオフにするように出力命令を前記揮発性組成物ディスペンサに送信することを特徴とする請求項１又は２に記載のシステム。
【請求項４】
前記第１の設定点は、前記スマートアプライアンスがオフにされたとき又は前記周期が終了したときに発生することを特徴とする請求項３に記載のシステム。
【請求項５】
前記スマートアプライアンスは、前記ユーザによって手動でオン及びオフにされることを特徴とする請求項１ないし４のいずれか一項に記載のシステム。
【請求項６】
前記中央通信装置は、前記スマートアプライアンスをオンにするように指示することを特徴とする請求項１ないし５のいずれか一項に記載のシステム。
【請求項７】
前記無線通信リンクは、Ｗｉ−Ｆｉ；Ｂｌｕｅｔｏｏｔｈ；ＺｉｇＢｅｅ、６ＬｏＷＰＡＮ、Ｔｈｒｅａｄ、メッシュネットワーク、又はそれらの組み合わせからなる群から選択されることを特徴とする請求項１ないし６のいずれか一項に記載のシステム。
【請求項８】
前記揮発性組成物ディスペンサは、メッシュネットワークボードルーター機能を有して構成されたことを特徴とする請求項１ないし７のいずれか一項に記載のシステム。
【請求項９】
前記スマートアプライアンスは、洗濯機、乾燥機、食洗機、常夜灯、ファン、ごみ処理機、テレビ、モニタ、スプリンクラーシステム、電子レンジ、及びそれらの組み合わせからなる群から選択されることを特徴とする請求項１ないし８のいずれか一項に記載のシステム。
【請求項１０】
前記揮発性組成物ディスペンサは第１の揮発性組成物ディスペンサであり、前記スマートアプライアンスは第１のスマートアプライアンスであり、前記第１の揮発性組成物ディスペンサは第１の揮発性組成物を含み、前記システムは第２の揮発性組成物を含む第２の揮発性組成物ディスペンサを更に含み、前記第１の揮発性組成物は第１のスマートアプライアンスがオンにされた後で空気中に送達され、前記第２の揮発性組成物は第２のスマートアプライアンスがオンにされた後で空気中に送達されることを特徴とする請求項１ないし９のいずれか一項に記載のシステム。
【請求項１１】
同じ建物内部のスマートアプライアンスの状況に基づいて、揮発性組成物ディスペンサを用いて少なくとも１つの部屋に揮発性組成物を送達する方法であって、前記スマートアプライアンス及び前記揮発性組成物ディスペンサは、それぞれ無線通信リンクを通じて中央通信装置と通信可能に接続可能であり、前記方法は、
（ａ）前記スマートアプライアンスをオンにするか又は前記スマートアプライアンスで周期を開始するステップと、
（ｂ）前記スマートアプライアンスがオンであること、又は前記周期が開始したことを中央通信装置に警告する第１の入力信号を前記中央通信装置に送信するステップと、
（ｃ）前記中央通信装置が前記第１の入力信号を受信した後、前記揮発性組成物ディスペンサをオンにするように前記中央通信装置から前記揮発性組成物ディスペンサに第１の出力命令を送信するステップと、
（ｄ）設定点に到達した後、揮発性組成物ディスペンサ清浄装置から第２の出力命令を送信するステップと、
（ｅ）必要に応じて、ステップ（ａ）〜（ｄ）を繰り返すステップと、
を含むことを特徴とする方法。
【請求項１２】
前記設定点は、前記スマートアプライアンスがオフにされたとき又は前記周期が終了したときに発生することを特徴とする請求項１１に記載の方法。
【請求項１３】
前記設定点は、前記スマートアプライアンスがオフにされた又は前記周期が終了した後の所定の時間に発生することを特徴とする請求項１１又は１２に記載の方法。
【請求項１４】
前記無線通信リンクは、Ｗｉ−Ｆｉ；Ｂｌｕｅｔｏｏｔｈ；ＺｉｇＢｅｅ、６ＬｏＷＰＡＮ、Ｔｈｒｅａｄ、メッシュネットワーク；又はこれらの組み合わせからなる群から選択されることを特徴とする請求項１１ないし１３のいずれか一項に記載の方法。
【請求項１５】
前記スマートアプライアンスは、洗濯機、乾燥機、食洗機、常夜灯、ファン、ごみ処理機、テレビ、モニタ、スプリンクラーシステム、電子レンジ、及びそれらの組み合わせからなる群から選択されることを特徴とする請求項１１ないし１４のいずれか一項に記載の方法。
【発明の詳細な説明】
【技術分野】
【０００１】
本開示は、揮発性組成物ディスペンサ及びスマートアプライアンスの動作を結合するためのシステム及び方法に関する。
【背景技術】
【０００２】
揮発性組成物ディスペンサは、揮発性組成物を受動的に拡散する通電されていない装置、及び様々な形態のエネルギーを利用して揮発性組成物を分配する、又はその分配を補助する通電された装置など、様々な形式で存在する。揮発性組成物を収容するレフィルを含む揮発性組成物ディスペンサを使用して、ユーザは、様々な香りから選択することができ、１つの香りの使用済みのレフィルを異なる香りの新しいレフィルと交換することができる。更に、空気中に異なる香りを交互に送達する揮発性組成物ディスペンサが存在する。ユーザは、季節又は休日に基づいて１年間の決まった時期に特定の香りを好むことが多い。ユーザには、多くの場合、家で掃除をする、もてなす、及びくつろぐ間など、様々な作業及び活動を行っている間に好む特定の香りがある。
【発明の概要】
【発明が解決しようとする課題】
【０００３】
ユーザが、家、事務所、又は会社にいる間に、様々な作業又は活動を実行している間に特定の香り又は異なる香りを送達することができる揮発性組成物ディスペンサの必要が存在する。
【課題を解決するための手段】
【０００４】
本開示の態様は、揮発性組成物を空気中に送達するためのシステムを含み、このシステムは、入力信号の受信及び出力命令（outgoing instructions）の送信が可能である中央通信装置を備え、中央通信装置は、アルゴリズムを記憶するように構成されているメモリと通信可能に接続されている。システムは、中央通信装置に通信可能に接続可能であり、スマートアプライアンスの状況を中央通信装置に警告する入力信号を中央通信装置に送信するように構成されたスマートアプライアンスを備える。本システムは、無線通信リンクを通じて中央通信と通信可能に接続可能である揮発性組成物ディスペンサを更に備え、アルゴリズムは、スマートアプライアンスから中央通信装置に送信された入力信号を使用して揮発性組成物ディスペンサを制御する。
【０００５】
本開示の態様はまた、同じ建物内部のスマートアプライアンスの状況に基づいて、揮発性組成物ディスペンサを用いて少なくとも１つの部屋に揮発性組成物を送達する方法であって、スマートアプライアンス及び揮発性組成物ディスペンサは、それぞれ無線通信リンクを通じて中央通信装置と通信可能に接続可能であり、本方法は、（ａ）スマートアプライアンスをオンにするか又はスマートアプライアンスで周期を開始するステップと、（ｂ）スマートアプライアンスがオンであること、又は周期が開始したことを中央通信装置に警告する第１の入力信号を中央通信装置に送信するステップと、（ｃ）中央通信装置が第１の入力信号を受信した後、揮発性組成物ディスペンサをオンにするように中央通信装置から揮発性組成物ディスペンサに第１の出力命令を送信するステップと、（ｄ）設定点に到達した後、揮発性組成物ディスペンサ清浄装置から第２の出力命令を送信するステップと、（ｅ）必要に応じて、ステップ（ａ）〜（ｄ）を繰り返すステップと、を含む。
【図面の簡単な説明】
【０００６】
【図１】それぞれが無線通信リンクを通じてＣＣＵと通信している中央通信装置、揮発性組成物ディスペンサ、及びスマートアプライアンスを含む、システムの例示的な構成要素を図示する。
【図２】スマートアプライアンス及びＣＣＵとは異なる部屋に配置された揮発性組成物ディスペンサを図示する。
【図３】構成要素からＣＣＵへの信号の複数の可能な流れを示す。
【図４】ハウジング１２内部に配置されたプロセッサ及びメモリを有する例示的なＣＣＵを図示する。
【図５】システムの様々な構成要素からリモートメモリへの入力信号の複数の例示的な流れを図示する。
【図６】揮発性組成物ディスペンサ及び／又はスマートアプライアンス（複数可）を制御するためにＣＣＵによって使用され得る例示的なアルゴリズムを図示する。
【図７】１つを超えるユーザインタフェースを有する例示的なシステムを図示する。
【発明を実施するための形態】
【０００７】
本開示の方法及びシステムについては、より十分に説明するが、以降の説明の開始時には、当業者は、本開示に記載の好ましい結果を得つつも、本明細書に記載の方法及びシステムを変更できることを理解されたい。したがって、以降の説明は、当業者を対象として広く教示する開示であり、本開示に限定するものではないことを理解されたい。
【０００８】
本開示は、揮発性組成物ディスペンサの動作をスマートアプライアンスの動作と結合するためのシステム及び方法を含む。これは、様々な理由でユーザに有益となり得る。例えば、ユーザは、特定のアプライアンスが実行しているときに部屋が特定のにおいを有することを所望する場合がある。一例において、ユーザは、洗濯用洗剤又はファブリックエンハンサのにおいが、洗濯機及び又は乾燥機が動作していると同時に空気中に分配されることを望む場合がある。洗濯用洗剤又はファブリックエンハンサの香りを有する揮発性組成物は、洗濯機及び乾燥機と同じ部屋内に分配されてもよいし、又はユーザが別の場所で香りを楽しむことができるように異なる部屋内に分配されてもよい。更に、時としてユーザは、ユーザがテレビを見ているとき、又は別のアプライアンスを使用しているときに空気中に特定の香りを有して、テレビ鑑賞の経験を向上させたい場合がある。揮発性組成物ディスペンサの動作とスマートアプライアンスの動作とを結合することによって、ユーザは、スマートアプライアンスを伴う特定の作業又は活動がより望ましい又は満足のいくものであると感じることができる。
【０００９】
本システム及び方法は、１つ以上の揮発性組成物ディスペンサと１つ以上のスマートアプライアンスとを通信可能に接続可能である中央通信装置（ＣＣＵ）を含む。スマートアプライアンスは、冷蔵庫、洗濯機、乾燥機、食洗機、電子レンジ、コンロ、オーブン、ごみ処理機、ステレオ、テレビ、ケーブルボックス若しくは衛星ボックス、ベビーモニタ、電気掃除機、セキュリティシステム、ライト、ガレージドアオープナ、ドアベル、屋内外スプリンクラ若しくは潅注システムなどであり得る。
【００１０】
図１は、それぞれ無線通信リンク１０７を通じてＣＣＵ１０２と通信する中央通信装置１０２、揮発性組成物ディスペンサ１０４、及びスマートアプライアンス１３０を含む、システム１００の例示的な構成要素を図示する。
【００１１】
例えば、ＣＣＵ１０２は、スマートアプライアンス１３０が、同様にオンになっている時間又は現在実行している時間の少なくとも一部の間、揮発性組成物ディスペンサ１０４をオンにするアルゴリズムを実行し得る。例えば、ＣＣＵ１０２は、アプライアンスがオン若しくはオフになったとき、又はアプライアンスの特定の周期が開始若しくは終了したときに、揮発性組成物ディスペンサ１０４をオンにするように出力命令を揮発性組成物ディスペンサ１０４に送信するように構成され得る。次に、スマートアプライアンス１３０がオフになる前、オフである間、又はオフになった後のいずれかに、ＣＣＵ１０２は、揮発性組成物ディスペンサ１０４をオフにするように出力命令を揮発性組成物ディスペンサ１０４に送信し得る。
【００１２】
より詳細に後述されるように、ＣＣＵは、設定点及びアルゴリズムを記憶することができるメモリ、並びにアルゴリズムを実行し、記憶された設定点にメモリからアクセスすることができるプロセッサを備える。ＣＣＵは、揮発性組成物ディスペンサのオン／オフ制御を、１つ以上のスマートアプライアンスのオン／オフ制御又は特定の周期の開始若しくは終了時間と結合するアルゴリズムを実行することができる。様々なアルゴリズムは、動作の所望の順序及び各順序の所望のタイミングに応じてプログラムされ得る。
【００１３】
揮発性組成物ディスペンサ１０４は、建物のどの部屋に配置されてもよい。図２を参照すると、揮発性組成物ディスペンサ１０４は、スマートアプライアンス１３０の配置と異なる部屋に配置されてもよく、ＣＣＵ１０２と異なる場所に配置されてもよい。しかしながら、揮発性組成物ディスペンサ１０４が、スマートアプライアンス１３０と同じ部屋に配置されてもよいことを理解されたい。ＣＣＵもまた、揮発性組成物ディスペンサ１０４又はスマートアプライアンス１３０と同じ又は異なる部屋に配置され得る。揮発性組成物ディスペンサ１０４は、ユーザにとって便利な部屋に移動させてよい。
【００１４】
揮発性組成物ディスペンサ
揮発性組成物ディスペンサ１０４は、揮発性組成物を大気に又は無生物表面上に送達するために使用され得る。このような揮発性組成物ディスペンサ１０４は、様々な様式で構成されることができる。揮発性組成物ディスペンサは、システム１００の様々な構成要素と無線通信リンク１０７を確立するために無線通信モジュール１１４を含み得る。揮発性組成物ディスペンサは、メッシュネットワークボーダールーター機能を更に含んでもよい。
【００１５】
例えば、揮発性組成物ディスペンサ１０４は、通電されたディスペンサ（即ち、電気、又は触媒燃料系などの化学反応、又は太陽光発電などによって電力供給される）として使用するために構成され得る。例示的な通電された揮発性組成物ディスペンサとしては、加熱素子、圧電素子、サーマルインクジェット要素、ファンアセンブリなどを含み得る動力送達補助手段が挙げられる。より具体的には、揮発性組成物ディスペンサは、電気壁プラグ式揮発性組成物ディスペンサ（電気壁プラグ式揮発性組成物ディスペンサの非限定的な例は、米国特許第７，２２３，３６１号に記載されている）、加熱素子及び／又はファン素子を有する電池式（再充電可能電池を含む）揮発性組成物ディスペンサであり得る。通電された装置において、揮発性材料送達エンジンは、揮発性材料を拡散するための動力送達補助手段に隣接して配置してよい。送達補助手段を使用して最適に拡散するために、揮発性材料を配合することができる。
【００１６】
揮発性組成物ディスペンサ１０４は、通電されていないディスペンサとして使用するために構成されてもよい。例示的な通電されていない揮発性組成物ディスペンサは、揮発性材料が受動的に（即ち、通電された手段を備えていない）空気中に拡散するのを補助するように、リザーバ、及び場合により、毛細管手段若しくは吸い取り手段、又は発散する表面を含む。更に具体的な揮発性組成物ディスペンサの例は、米国特許第８，７０９，３３７号及び同第８，９３１，７１１号に開示されるように、揮発性材料を入れるための液体リザーバを有する送達エンジン、及び液体リザーバを閉じ込めるための多孔性膜を含む。
【００１７】
揮発性組成物ディスペンサ１０４はまた、エアゾールスプレー又は非エアゾールエアスプレーとして使用するために構成されてよい。揮発性組成物ディスペンサ１０４は、自動的に揮発性組成物を大気に送達するようにプログラムすることができる。
【００１８】
揮発性組成物ディスペンサ１０４は、精製された空気及び／又は揮発性物質の両方を大気に送達するために、空気浄化システムの形態で構成されてもよい。非限定的な例としては、小さな空間（例えば、寝室、浴室、自動車など）、及び家全体の集中空調／暖房システム（例えばＨＶＡＣ）における使用のためにイオン化及び／又は濾過技術を使用する空気浄化システムが挙げられる。
【００１９】
揮発性組成物ディスペンサ１０４は、家又は建物内部の別の部屋に移動可能であってよい。更に、家又は建物は、同じ部屋又は別の部屋に配置されている１つ以上の揮発性組成物ディスペンサを含んでよい。
【００２０】
揮発性組成物ディスペンサ１０４は、少なくとも２つの異なる揮発性組成物、又は少なくとも２つの異なる揮発性組成物、又は少なくとも３つの揮発性組成物など、１つを超える揮発性組成物を別々に収容し保持することが可能であり得る。そのような例では、揮発性組成物ディスペンサ１０４は、１つのスマートアプライアンスと対になるように意図されている香りを有する１つの揮発性組成物を送達するように構成されてよく、また第２の異なるスマートアプライアンスと対になるように意図されている香りを有する第２の揮発性組成物を送達するようにも構成されてよい。
【００２１】
揮発性組成物
揮発性組成物は、香料組成物及び／又は悪臭制御組成物を含む空気清浄組成物であり得る。揮発性組成物は、防虫剤であり得る。
【００２２】
揮発性組成物は、揮発性物質を含み得る。例示的な揮発性物質には、香料物質、揮発性色素、殺虫剤として機能する物質、調湿、改良、ないしは別の方法で環境を変えるように（例えば、睡眠、起床、呼吸器の健康などの状態を補助するように）機能する精油若しくは物質、脱臭剤若しくは悪臭制御組成物（例えば、反応性アルデヒドなどの臭気中和物質（米国特許出願公開第２００５／０１２４５１２号に開示されるようなもの）、臭気遮断物質、臭気マスキング物質、又はイオノンなどの感覚改善物質（同様に同第２００５／０１２４５１２号に開示される））が挙げられる。
【００２３】
揮発性組成物は、香料成分を含んで望ましい香りを空気中に提供し得る。揮発性組成物は、本物の悪臭中和を実現するように設計されている揮発性アルデヒドの混合物を含む（臭気を単に隠す又は被覆することにより機能するものではない）。本物の悪臭中和は、感覚及び分析により測定可能（例えば、ガスクロマトグラフ）な悪臭の低減をもたらす。したがって、揮発性組成物が本物の悪臭中和を実現するなら、その揮発性組成物は気相及び／又は液相中の悪臭を低減させる。揮発性組成物は、化学反応を介して気相及び／又は液相中の悪臭を中和する揮発性アルデヒドの混合物を含み得る。そのような揮発性アルデヒドはまた、反応性アルデヒドとも呼ばれる。揮発性アルデヒドは、シッフ塩基形成経路に従ってアミン系臭気と反応し得る。揮発性アルデヒドは、イオウ系臭気とも反応して、気相及び／又は液相中にチオールアセタール、へミチオールアセタール及びチオールエステルを形成することができる。
【００２４】
揮発性組成物は、様々なその他の成分を含んでもよく、それらの成分には、界面活性剤、酸触媒、ポリマー、緩衝剤、可溶化剤、抗菌性化合物、保存剤、湿潤剤、水性キャリア、希釈剤など、及びそれらの組み合わせが挙げられるが、それらに限定されない。
【００２５】
揮発性組成物は、特定のスマートアプライアンスに関連した香りに合う香りを有するように構成され得る。例えば、揮発性組成物は、揮発性組成物ディスペンサがベビーモニタ又は赤ちゃんの部屋内に位置する他の装置と関連している例においては、ベビーパウダーの香りを有してよい。別の例では、揮発性組成物は、揮発性組成物ディスペンサが洗濯機又は乾燥機の動作と関連している例においては、洗濯用洗剤又は布地柔軟剤の香りを有してよい。
【００２６】
スマートアプライアンス
様々な異なるスマートアプライアンスもまた、システムと接続することができ、本開示の方法に含まれてよい。スマートアプライアンス１３０は、ＣＣＵと通信可能に接続可能であり得る。図２を参照すると、スマートアプライアンス１３０は、ＣＣＵ及び／又は揮発性組成物ディスペンサ１０４と通信するために無線通信モジュール１３６を含み得る。スマートアプライアンスには、冷蔵庫、洗濯機、乾燥機、食洗機、電子レンジ、コンロ、オーブン、ごみ処理機、ステレオ、テレビ、ケーブルボックス若しくは衛星ボックス、ベビーモニタ、電気掃除機、セキュリティシステム、ライト、ガレージドアオープナ、ドアベル、屋内外スプリンクラ若しくは潅注システムなどを挙げることができる。
【００２７】
ＣＣＵはまた、スマートアプライアンスの現在の状況に基づいて揮発性組成物ディスペンサを制御するように構成されてもよい。スマートアプライアンスは、アラートを入力信号の形でＣＣＵに送信するように構成され得、ＣＣＵに特定のスマートアプライアンスがオンになったこと、オフになったこと、又はスマートアプライアンスの周期が開始若しくは終了したことを警告する。スマートアプライアンスはまた、スマートアプライアンスの現在の状況についてＣＣＵに警告する入力信号をＣＣＵに送信するように構成されたセンサを含んでもよい。
【００２８】
ＣＣＵはまた、システムの他の構成要素からＣＣＵに送信されたセンサ測定値に基づいてスマートアプライアンスを制御することを含み得るアルゴリズムを開始するように構成されてもよい。
【００２９】
センサ
システム１００の１つ以上の構成要素は、センサ１０６を含み得る。例えば、揮発性組成物ディスペンサ１０４、ＣＣＵ１０２、空気処理装置、又はスマートアプライアンス１３０は、１つ以上のセンサ１０６を含み得る。センサ１０６は、温度、相対湿度、空気質、ＣＯ２濃度、空気粒子カウンタ、アレルゲン、及びヒトの健康に影響を及ぼすその他の大気中の要素、又は構成要素の状況を感知するように構成され得る。センサ１０６は、無線通信リンクを通じてＣＣＵ及びシステムの様々な構成要素と通信可能に接続可能であるように無線通信モジュールを含み得る。
【００３０】
センサ１０６は、電源１１８によって電力供給され得る。センサ１０６は、揮発性組成物ディスペンサ１０４から独立して、又は揮発性組成物ディスペンサ１０４の同じ電源を通じて電力供給され得る。センサ１０６は、揮発性組成物ディスペンサ１０４から独立した電池によって、又は揮発性組成物ディスペンサ１０４にも電力を供給するように構成された電池によって、電力供給され得る。揮発性組成物ディスペンサ及び／又はセンサ１０６は、電気コンセントを通じて電力供給されてもよい。揮発性組成物ディスペンサが、部屋から部屋、又は表面から表面へ移動することができるモバイル装置であるときは、電池電源が使用される。更に、揮発性組成物ディスペンサが、受動的に揮発性組成物を空気中に拡散させる通電されていない装置として構成されているときは、電池を使用してセンサ１０６に電力を供給することができる。
【００３１】
センサは、センサ測定値を入力信号の形でＣＣＵに送信するように構成されている。センサ測定値は、様々な様式で使用することができる。例えば、センサ測定値をライブデータとして見るか、空気処理装置を制御するために温度設定点などの設定点と比較するか、又は快適さ及びエネルギー効率を考慮に入れた最適な設定点を推奨するための更なる分析用にデータベースに記憶することができる。
【００３２】
図３は、構成要素からＣＣＵへの信号の複数の可能な流れを示す。センサ測定値は、構成要素からＣＣＵを通じてライブローカルセンサ測定値用のユーザインタフェースに流れ得る。あるいは、センサ測定値は、空気処理装置１１０及び揮発性組成物ディスペンサ１０４が挙げられるがこれらに限定されない、様々な構成要素に命令を送信するために、センサからＣＣＵを通じて、センサ測定値がメモリ内に記憶される又はプロセッサによって分析されるインターネット上の宛先サーバへと渡る場合もある。
【００３３】
中央通信装置
ＣＣＵ１０２は、様々な異なる方法で構成され得る。ＣＣＵ１０２は、システム１００の１つ以上の構成要素（例えば、スマートアプライアンス（複数可）及び／又は揮発性組成物ディスペンサ（複数可））から入力信号を受信する、及びシステム１００の１つ以上の構成要素に出力命令を送信するように構成され得る。
【００３４】
図４を参照すると、ＣＣＵ１０２は、センサ（複数可）１０６、ユーザインタフェース（複数可）１０８、揮発性組成物ディスペンサ１０４、及び／又は無線通信リンク１０７を使用するスマートアプライアンス１３０など、システム１００の様々な構成要素と通信可能に接続可能であり得る。８０２．１１（Ｗｉ−Ｆｉ）、８０２．１５．４（ＺｉｇＢｅｅ、６ＬｏＷＰＡＮ、Ｔｈｒｅａｄ、ＪｅｎｎｅｔＩＰ）、Ｂｌｕｅｔｏｏｔｈ、それらの組み合わせなどを含む、様々な無線通信リンクが使用され得る。接続は、アドホックメッシュネットワークプロトコルを通じてよい。ＣＣＵ１０２は、システムの様々な構成要素とＣＣＵ１０２との無線通信リンク１０７を確立するために無線通信モジュール１１６を含み得る。通信リンクを確立するために当該技術分野において既知の任意のモジュールを利用することができる。
【００３５】
ＣＣＵ１０２は、プロセッサ１２２を備え得る。プロセッサ１２２は、本明細書に記載のシステム１００の１つ以上の有利な機能を実行する、及び／又は実行させるように構成されプログラムされ得る。プロセッサ１２２は、ＣＣＵ１０２内部に物理的に配置されてもよいし、あるいはコンピュータ、特殊コンピュータ、電話若しくはタブレットなどのスマートデバイス、サーバ、イントラネット、ボーダールーター、クラウドベースシステムなど、又はそれらの組み合わせ上に遠隔に位置してよい。プロセッサ１２２は、ローカルメモリ内に記憶されたアルゴリズムを実行することができ（特殊目的のプロセッサ又は特定用途向け集積回路）、アルゴリズムは、中央サーバ、又はクラウドベースシステムによって（Ａｓｙｎｃｈｒｏｎｏｕｓ  ＪａｖａＳｃｒｉｐｔ  ａｎｄ  ＸＭＬ又は同様のプロトコルを使用してクラウドサーバから提供される命令を実行するＪａｖａ仮想マシンを実行することによってなど）遠隔に実行又は管理される。
【００３６】
ＣＣＵ１０２は、メモリ１２４を備え得る。メモリは、設定点、センサ測定値及び状況インジケータなどの入力信号、アルゴリズムなどを記憶するように構成され得る。メモリは、フラッシュドライブ、ハードドライブ、読み取り専用メモリ、又はランダムアクセスメモリなど、ＣＣＵ１０２内部のローカルメモリであり得る。あるいは、メモリは、コンピュータ、電話若しくはタブレットなどのスマートデバイス、サーバ、又はクラウドベースシステム上のリモートメモリとして構成されてもよい。メモリ１２４は、様々な方法でプロセッサ１２２にアクセス可能であり得る。
【００３７】
ＣＣＵ１０２のプロセッサ及び／又はメモリは、ＣＣＵ１０２のハウジング内部に配置され得る。ＣＣＵ１０２は、システム１００の様々な構成要素と接続、又はそれらから分離され得る。例えば、ＣＣＵ１０２は、スマートアプライアンス１３０又は揮発性組成物ディスペンサ１０４と物理的に接続され得る。ＣＣＵ１０２は、例えばスマートアプライアンス１３０、揮発性組成物ディスペンサ１０４、及び／又は空気処理装置などの他の構成要素とは建物内の別の部屋又は場所に永続的に位置付けられ得る。
【００３８】
ＣＣＵは、クロックを含んでもよいし、又はコンピュータ、スマートデバイス、若しくはインターネット上でクロックと通信可能に接続可能であってもよい。
【００３９】
図４は、ハウジング１２８内部に配置されたプロセッサ１２２及びメモリ１２４を有する例示的なＣＣＵ１０２を図示する。図５に示されるＣＣＵ１０２は、揮発性組成物ディスペンサ１０４、空気処理装置１１０、及び／又はスマートアプライアンスの上若しくは内部に配置され得る。図４は、ハウジング１２８内部に配置されたプロセッサ１２２及びメモリ１２４を図示しているが、プロセッサ１２２及び／又はメモリ１２４が、ＣＣＵ１０２に対して遠隔に位置し得ることを理解されたい。
【００４０】
入力信号は、リモートメモリに入力信号を送信するトランスミッタを含むＣＣＵ装置を通過してよい。入力信号はまた、信号を送信する構成要素と無線で通信している構成要素によって直接受信されてもよい。
【００４１】
図５は、システム１００の様々な構成要素からリモートメモリへの入力信号の複数の例示的な流れを図示する。入力信号は、無線通信リンクを通じてスマートアプライアンス１３０、揮発性組成物ディスペンサ１０４、若しくは様々なその他の構成要素からコンピュータ若しくはスマートデバイスへ直接、又はＣＣＵのトランスミッタを通じてリモートメモリへと流れ得る。プロセッサ１２２は、メモリ１２４から入力信号にアクセスし得る。プロセッサ１２２は、有線又は無線通信リンクを通じてメモリ１２４にアクセスし得る。
【００４２】
プロセッサ１２２は、入力信号をメモリ１２４に記憶された設定点と比較するように構成され得る。プロセッサは、記憶された設定点をメモリ１２４から読み出して比較することができる。
【００４３】
上述したように、ＣＣＵは、揮発性組成物ディスペンサの動作をスマートアプライアンスの動作と結合する様々なアルゴリズムを実行するように構成され得る。図６は、揮発性組成物ディスペンサ１０４及び／又はスマートアプライアンス（複数可）１３０を制御するようにＣＣＵ１０２によって使用され得る例示的なアルゴリズムを図示する。スマートアプライアンス１３０は、ＣＣＵ１０２と通信可能に接続され得る。スマートアプライアンス１３０は、ユーザによる手動制御によって、又はＣＣＵ１０２からスマートアプライアンスに送信された出力命令によってオンにすることができる。スマートアプライアンス１３０は、ユーザによって設定されたアルゴリズムを使用してオン若しくはオフになるように構成されてもよいし、又はスマートアプライアンス１３０は、コンピュータ若しくはスマートデバイス上のユーザインタフェースからユーザによって遠隔にオン若しくはオフにされるように構成されてもよいし、又はスマートアプライアンス１３０は、スマートアプライアンス自体でユーザによって直接オン若しくはオフにされてもよい。
【００４４】
スマートアプライアンス１３０は、スマートアプライアンス１３０がオンにされるたびに、特定の周期が開始及び／若しくは終了するたびに、並びに／又はスマートアプライアンス１３０がオフにされたときに、ＣＣＵ１０２に入力信号を送信するように構成され得る。アルゴリズムは、スマートアプライアンス１３０がオンにされた後、又はスマートアプライアンス１３０の周期が開始した後に、揮発性組成物ディスペンサ１０４をオンにするように構成され得る。ひとたびＣＣＵ１０２が、揮発性組成物ディスペンサ１０４をオンにさせるように設定されているスマートアプライアンス１３０の状況を示す入力信号をスマートアプライアンス１３０から受信すると、ＣＣＵは、オンになるように出力命令を揮発性組成物ディスペンサ１０４に送信する。揮発性組成物ディスペンサ１０４は、設定点が発生するまでオンのままであってよい。例えば、アルゴリズムは、所定の時間の間、又はスマートアプライアンス１３０の周期若しくは複数の周期の持続時間、又はスマートアプライアンス１３０がオフになるまで、揮発性組成物ディスペンサ１０４をオンの状態で保持するように構成されることができる。ひとたびプログラムされた設定点が発生すると、ＣＣＵ１０２は、揮発性組成物ディスペンサ１０４へオフにするよう出力命令を送信する。アルゴリズムは、スマートアプライアンス１３０がオンになるたび、又はスマートアプライアンス１３０の特定の周期がオンになるたびに、繰り返され得る。
【００４５】
アルゴリズムは、スマートアプライアンス１３０がオフにされた後で揮発性組成物ディスペンサをオンにするようにプログラムされることができる。このアルゴリズムは、図６を参照して上述のアルゴリズムに加えて生じてもよいし、又は上述のアルゴリズムの代わりに実行されてもよい。
【００４６】
設定点としては、持続時間、分配される揮発性組成物の濃度、構成要素の現在の状態又は状況などを挙げることができる。プロセッサは、いつ設定点に到達したかを判定するために様々な構成要素を利用し得る。例えば、プロセッサはクロックを利用してもよく、このクロックはＣＣＵと接続されていてもよいし、又はコンピュータ、スマートデバイス、若しくはインターネット上で遠隔に位置してもよく、これを使用して持続時間を測定することができる。別の実施例では、センサを使用して、現在の温度又は空気中の揮発性組成物の濃度など様々な状態を測定することができる。センサは、システムの任意の構成要素の上に、又はシステムの構成要素から離れて位置してよい。設定点はまた、構成要素の状態に基づく場合もある。例えば、設定点は、構成要素がオン又はオフにされることであってよく、このことは、ＣＣＵにアルゴリズム中の次のステップに移動するように合図することができる。構成要素の状況は、ＣＣＵに通信され得る。
【００４７】
揮発性組成物ディスペンサがオフにされる際の制御に使用される設定点は、持続時間であり得る。持続時間は、約５分〜約６０分の範囲、又は約１０分〜約３０分の範囲内であってよい。設定点はまた、スマートアプライアンスの状況であってもよい。例えば、設定点は、スマートアプライアンスがオフになるとき、又はスマートアプライアンスの特定の周期が終了するときであり得る。設定点は、アプライアンスがオフにされた後の所定の持続時間、又はアプライアンスの周期が終了した後の所定の持続時間として構成され得る。
【００４８】
メモリ１２４は、複数の設定点を記憶するように構成され得る。例えば、１日のうちで異なる時刻、期間に異なる設定点が存在してよく、また１週間のうちで異なる日に異なる設定点であってよい。プロセッサは、どの設定点が１日のうち特定の時間及び／又は１週間のうちの特定の１日に使用されるかを決定する際のクロックを含み得る。
【００４９】
プロセッサは、１日のうちの様々な時間及び／又は１週間のうちの様々な日に、家又は建物内部に位置する様々な構成要素から出力信号又はセンサ測定値を使用するように構成され得る。例えば、第１の揮発性組成物ディスペンサは、家の第１の部屋に位置してよく、第１のスマートアプライアンスと結合され得る。更に、第２の揮発性組成物ディスペンサは、家の第２の部屋又は第１の部屋と同じ部屋に位置してよく、第１のスマートアプライアンスと異なる第２のスマートアプライアンスの動作と結合され得る。ＣＣＵは、第１及び第２の揮発性組成物ディスペンサを同時に制御するようにプログラムされ得る。ＣＣＵは、第１及び第２のアプライアンスが動作中であるときは常に、第１及び第２の揮発性組成物ディスペンサを制御するようにプログラムされてよい。第１及び第２のスマートアプライアンスは、同時に、異なる時刻に、又は重複する時間に実行することができる。
【００５０】
ＣＣＵは、図２に示される温度自動調節器のような温度自動調節器として構成されてよい。温度自動調節器用の電力は、空気処理装置を温度自動調節器に接続する制御ワイヤから捕集することができる。温度自動調節器は、プロセッサ若しくはメモリを含んでよく、又は温度自動調節器は、リモートプロセッサ及び／若しくはメモリと通信することができる。温度自動調節器は、ユーザインタフェースを含み得る。温度自動調節器は、ＮＥＳＴ（登録商標）学習温度自動調節器、ＬＵＴＲＯＮ（登録商標）温度自動調節器などであってよい。
【００５１】
プロセッサは、ユーザの好みの揮発性組成物濃度に基づいたアルゴリズム、並びに履歴センサ測定値、履歴設定点、並びにエネルギー効率、快適さ、及び揮発性組成物濃度に関する既知の情報に基づいたスマートアプライアンス動作プロファイルから最適設定点を計算することができる。機械学習アルゴリズムは、１日のうちの様々な時間及び／又は１週間のうちの様々な日におけるユーザ（複数可）の望ましい設定点を学習することができ、並びに／あるいは例えば、よりエネルギー効率の良いアルゴリズムをプログラムするために使用することができる。例示的な学習システムは、ＮＥＳＴ（登録商標）学習温度自動調節器で使用されている。例示的な学習システムは、米国特許第９，１１５，９０８号にも記載されている。次にプロセッサは、続いてＨＶＡＣの制御用に設定点を記憶するメモリに最適な設定点を送信する。
【００５２】
空気処理装置、揮発性組成物ディスペンサ、及び／又はスマートアプライアンス（複数可）を含むシステムの装置は、１つの装置によって検出されたイベントが別の装置の動作に影響を及ぼし得るか、又は１つの装置の現在の状況が別の装置の動作に影響を及ぼし得るように、ＣＣＵを通じて互いに相互作用し得る。
【００５３】
ユーザインタフェース
本開示のシステム及び方法は、１つ以上のユーザインタフェース１０８を含み得る。ユーザインタフェース１０８は、様々な異なる様式で構成され得る。ユーザは、ユーザインタフェース１０８と相互作用して、設定点を調節することができ、加えて、ユーザインタフェース上でライブセンサデータを見るためにＣＣＵ１０２を通じてセンサ１０６に接続することができる。ＣＣＵ１０２はまた、ユーザインタフェース１０８上で遠隔監視をする目的のためにインターネット又はイントラネットに接続し、サーバへとセンサ測定値及び設定点などの情報を通過させることもできる。
【００５４】
図７は、１つを超えるユーザインタフェースを有する例示的なシステムを図示する。図７では、第１のユーザインタフェースはＣＣＵに接続されており、第２のユーザインタフェースはリモートユーザインタフェースである。リモートユーザインタフェースは、コンピュータ又は携帯型スマートデバイスの形態であり得る。
【００５５】
ＣＣＵが温度自動調節器として構成されている場合、温度自動調節器は、例えばボタンを押す、又はダイヤルを回すことによって、ユーザが温度設定点を調節することができる、ユーザインタフェースを含んでよい。
【００５６】
ユーザインタフェースは、プログラム、ＨＴＭＬウェブサイト、又はコンピュータ若しくは携帯型スマートデバイスを介してユーザによってアクセス可能であるネイティブアプリケーションとして構成され得る。携帯型スマートデバイスとしては、ｉＰｈｏｎｅ（登録商標）、ｉＰａｄ（登録商標）、又はＡｎｄｒｏｉｄ（登録商標）若しくはＭｉｃｒｏｓｏｆｔ（登録商標）ベースのシステムを挙げることができる。ユーザインタフェースは、デスクトップ、ノートパソコン、又はタブレットなどのコンピュータ上でアクセス可能であり得る。
【００５７】
本開示のシステムは、プロセッサ１２２、メモリ１２４、及び／又はユーザインタフェース１０８を含むＣＣＵ１０２を備える携帯型スマートデバイス又はコンピュータを含み得る。
【００５８】
空気処理システム
システム１００は、空気処理装置を含み得る。空気処理装置は、ファンを含む。空気処理装置は、例えば一戸建て住宅、アパート、オフィスビル、会社など構内に暖房、換気、空調（ＨＶＡＣ）、及び／又は空気処理を提供し得る。空気処理装置１１０は、強制空気型暖房及び冷房システムとして構成され得る。しかしながら、空気処理装置は、様々な異なる方法で構成されることができる。例えば、空気処理装置は、放射熱ベースのシステム、ヒートポンプベースのシステム、天井ファン若しくはポータブル送風機などのファン、ポータブルエアコン、及び／又はポータブルヒーターの形態で構成され得る。
【００５９】
空気処理装置は、１つ以上の制御装置を有し得る。空気処理装置上の制御装置は、ヒーターのＯＮ／ＯＦＦ、エアコンのＯＮ／ＯＦＦ、及び／又はファンのみのＯＮ／ＯＦＦを含み得る。ファンは、建物の少なくとも１つの部屋中に温められた又は冷却された空気を押しやるためにヒーター又はエアコンがオンであるときにも実行し得ることを理解されたい。
【００６０】
空気処理装置は、ＣＣＵ、揮発性組成物ディスペンサ１０４、及び／又はスマートアプライアンスなどのシステムの様々な構成要素と無線通信リンクを通じて無線で接続するために、無線通信モジュールを含み得る。
【００６１】
空気処理装置の動作を揮発性組成物ディスペンサの動作と結合することを含む例示的なシステム及び方法は、２０１５年１０月８日に出願された「ＳＹＳＴＥＭＳ  ＡＮＤ  ＭＥＴＨＯＤＳ  ＦＯＲ  ＣＯＵＰＬＩＮＧ  ＴＨＥ  ＯＰＥＲＡＴＩＯＮＳ  ＯＦ  ＡＮ  ＡＩＲ  ＨＡＮＤＬＩＮＧ  ＤＥＶＩＣＥ  ＡＮＤ  Ａ  ＶＯＬＡＴＩＬＥ  ＣＯＭＰＯＳＩＴＩＯＮ  ＤＩＳＰＥＮＳＥＲ」と題する代理人整理番号第１４０５２号の米国特許出願に記載されている。揮発性組成物ディスペンサを備える空気処理装置を制御するための例示的なシステム及び方法は、２０１５年１０月８日に出願された「ＶＯＬＡＴＩＬＥ  ＣＯＭＰＯＳＩＴＩＯＮ  ＤＩＳＰＥＮＳＥＲ  ＨＡＶＩＮＧ  Ａ  ＴＥＭＰＥＲＡＴＵＲＥ  ＳＥＮＳＯＲ  ＴＯ  ＲＥＭＯＴＥＬＹ  ＣＯＮＴＲＯＬ  ＡＮ  ＡＩＲ  ＨＡＮＤＬＩＮＧ  ＤＥＶＩＣＥ」と題する代理人整理番号第１４０５１号の米国特許出願に記載されている。
【００６２】
本明細書において範囲の両端として開示される値は、列挙される正確な数値に厳密に限定されるものとして理解されるべきではない。代わりに、特に明記しない限り、各数値範囲は、列挙された値、明記された範囲内の、及び明記された範囲を有する任意の範囲内の任意の整数の両方を意味するよう意図されている。例えば、「１〜１０」として開示されている範囲は、「１、２、３、４、５、６、７、８、９、及び１０」を意味するように意図されている。本明細書全体を通じて記載されるあらゆる最大数値限定は、それより低いあらゆる数値限定を、そのようなより低い数値限定が本明細書に明確に記載されているかのように含むことを理解すべきである。本明細書全体を通して記載されるあらゆる最小数値限定は、それよりも高いあらゆる数値限定を、そのようなより高い数値限定があたかも本明細書に明確に記載されているかのように含む。本明細書全体を通して与えられるあらゆる数値範囲は、そのようなより広い数値範囲内に入るより狭いあらゆる数値範囲を、そのような狭い数値範囲が全て本明細書に明確に記載されているかのように含む。
【００６３】
本明細書において範囲の両端として開示される値は、列挙される正確な数値に厳密に限定されるものとして理解されるべきではない。代わりに、特に明記しない限り、各数値範囲は、列挙された値、明記された範囲内の、及び明記された範囲を有する任意の範囲内の任意の整数の両方を意味するよう意図されている。例えば、「１〜１０」として開示されている範囲は、「１、２、３、４、５、６、７、８、９、及び１０」を意味するように意図されている。
【００６４】
本明細書に開示した寸法及び値は、記載された正確な数値に厳密に限定されるものと理解されるべきではない。むしろ、特に断らない限り、そのような各寸法は、記載された値とその値の周辺の機能的に同等の範囲の両方を意味するものとする。例えば、「４０ｍｍ」として開示される寸法は、「約４０ｍｍ」を意味するものとする。
【００６５】
相互参照される又は関連するあらゆる特許又は特許出願、及び本願が優先権又はその利益を主張する任意の特許出願又は特許を含む、本願に引用されるあらゆる文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００６６】
本開示の特定の実施形態について説明し記載したが、本発明の趣旨及び範囲から逸脱することなく他の様々な変更及び修正が可能であることは当業者には明白であろう。したがって、本発明の範囲内に含まれるそのような全ての変更及び修正は、添付の特許請求の範囲にて網羅することを意図したものである。
【図１】
2019505105.tif 000003
【図２】
2019505105.tif 000004
【図３】
2019505105.tif 000005
【図４】
2019505105.tif 000006
【図５】
2019505105.tif 000007
【図６】
2019505105.tif 000008
【図７】
2019505105.tif 000009
【国際調査報告】
2019505105.tif 000010
2019505105.tif 000011